(57)【要約】【課題】  どのＩＣカードのカード情報が読み出されたのかを利用者が確認可能とする。【解決手段】  実施形態の読取装置は、非接触通信ユニット、取得手段、判定手段及び通知手段を備える。非接触通信ユニットは、非接触型のＩＣカードと通信する。取得手段は、非接触通信ユニットがＩＣカードと通信可能となった場合に、ＩＣカードに記憶されたカード情報を、非接触通信ユニットを介して取得する。判定手段は、取得手段が取得したカード情報に基づいてＩＣカードの種別を判定する。通知手段は、判定手段が判定した種別を、ＩＣカードの利用者に対して通知する。【選択図】      図４
2020173833.tif 000002
【特許請求の範囲】
【請求項１】
非接触型のＩＣカードと通信する非接触通信ユニットと、
前記非接触通信ユニットが前記ＩＣカードと通信可能となった場合に、前記ＩＣカードに記憶されたカード情報を、前記非接触通信ユニットを介して取得する取得手段と、
前記取得手段が取得した前記カード情報に基づいて前記ＩＣカードの種別を判定する判定手段と、
前記判定手段が判定した種別を、前記ＩＣカードの利用者に対して通知する通知手段と、
を具備したことを特徴とするカード読取装置。
【請求項２】
非接触型のＩＣカードと通信する非接触通信ユニットと、
前記非接触通信ユニットが前記ＩＣカードと通信可能となった場合に、前記ＩＣカードに記憶されたカード情報を、前記非接触通信ユニットを介して取得する取得手段と、
前記取得手段が取得した前記カード情報に基づいて前記ＩＣカードの種別を判定する判定手段と、
前記判定手段が判定した種別を、前記ＩＣカードの利用者に対して通知する通知手段と、
前記取得手段が取得した前記カード情報を用いた決済のための処理を行う決済手段と、を具備したことを特徴とする決済端末。
【請求項３】
前記決済手段は、前記通知手段による通知に対する確認操作が行われたことに応じて前記処理を開始することを特徴とする請求項２に記載の決済端末。
【請求項４】
前記取得手段は、前記非接触通信ユニットが複数の前記ＩＣカードと通信可能となった場合に、これら複数の前記ＩＣカードに記憶されたカード情報を、前記非接触通信ユニットを介してそれぞれ取得し、
前記判定手段は、前記取得手段が取得した複数の前記カード情報に基づいて複数の前記ＩＣカードの種別をそれぞれ判定し、
前記通知手段は、前記判定手段が判定した複数の種別を通知し、
前記決済端末は、前記判定手段が判定した複数の種別のうちの１つを前記利用者の指示に応じて選択する選択手段を更に備え、
前記決済手段は、前記選択手段により選択された種別を判定する基となった前記カード情報を用いて前記処理を行う、
ことを特徴とする請求項２に記載の決済端末。
【請求項５】
非接触型のＩＣカードと通信する非接触通信ユニットと、前記ＩＣカードの利用者に対する通知のための通知動作を行う通知デバイスとを具備したカード読み取り装置を制御するコンピュータを、
前記非接触通信ユニットが前記ＩＣカードと通信可能となった場合に、前記ＩＣカードに記憶されたカード情報を、前記非接触通信ユニットを介して取得する取得手段と、
前記取得手段が取得した前記カード情報に基づいて前記ＩＣカードの種別を判定する判定手段と、
前記判定手段が判定した種別を、前記ＩＣカードの利用者に対して通知するための通知動作を行うように前記通知デバイスを制御する制御手段と、
して機能させるための制御プログラム。
【発明の詳細な説明】
【技術分野】
【０００１】
本発明の実施形態は、カード読取装置、決済端末及びカード読取装置の制御プログラムに関する。
【背景技術】
【０００２】
非接触式のＩＣカードに記憶されたカード情報を読み取るカード読取装置は、例えば決済のための情報としてカード情報を読み取るために決済端末に組み込まれている。
【０００３】
非接触式のＩＣカードは、電子マネーカード及びポイントカード等のように、決済に利用される複数種別が存在している。また電子マネーカードの中にも、電子マネーによる決済サービスを提供する業者の違いなどによる複数種別が存在している。さらには、非接触式のＩＣカードには、例えば従業員証などのような、決済に利用されない種別のものも存在している。そして、これらの多種のＩＣカードでは、同一の通信規格が利用されている場合がある。
【０００４】
一方、複数種別のＩＣカードを同一の財布やカードケースに収納することは、しばしば行われている。このような状態でＩＣカードが決済端末に翳された場合、複数のＩＣカードが決済端末の通信範囲に同時に入ることになる。そしてこの場合、複数のＩＣカードのうちのいずれからカード情報が読み取られるかは分からない。つまり、複数のＩＣカードのうちの利用者が利用しようとしているＩＣカードのカードデータが読み取られる保証はなく、利用者が意図しないＩＣカードのカード情報が取得されてしまう場合がある。
【０００５】
このような事情から、どのＩＣカードのカード情報が読み出されたのかを利用者が確認できることが望まれていた。
【先行技術文献】
【特許文献】
【０００６】
【特許文献１】特開２０１１−４８４８７号公報
【発明の概要】
【発明が解決しようとする課題】
【０００７】
本発明が解決しようとする課題は、どのＩＣカードのカード情報が読み出されたのかを利用者が確認できるカード読取装置、決済端末及びカード読取装置の制御プログラムを提供することである。
【課題を解決するための手段】
【０００８】
実施形態の読取装置は、非接触通信ユニット、取得手段、判定手段及び通知手段を備える。非接触通信ユニットは、非接触型のＩＣカードと通信する。取得手段は、非接触通信ユニットがＩＣカードと通信可能となった場合に、ＩＣカードに記憶されたカード情報を、非接触通信ユニットを介して取得する。判定手段は、取得手段が取得したカード情報に基づいてＩＣカードの種別を判定する。通知手段は、判定手段が判定した種別を、ＩＣカードの利用者に対して通知する。
【図面の簡単な説明】
【０００９】
【図１】一実施形態に係る決済システムの概略構成を示すブロック図。
【図２】図１中のＰＯＳ端末及び決済端末の要部回路構成を示すブロック図。
【図３】認証テーブルの一例を示す図。
【図４】図２中の決済端末に備えられたＣＰＵの制御処理のフローチャート。
【図５】図２中の決済端末に備えられたＣＰＵの制御処理のフローチャート。
【図６】図２中の決済端末に備えられたＣＰＵの制御処理のフローチャート。
【図７】待受画面の一例を示す図。
【図８】確認画面の一例を示す図。
【図９】カード選択画面の一例を示す図。
【図１０】方法選択画面の一例を示す図。
【図１１】入力画面の一例を示す図。
【図１２】署名画面の一例を示す図。
【図１３】ポイント画面の一例を示す図。
【発明を実施するための形態】
【００１０】
以下、実施の形態の一例を図面に基づいて説明する。  
図１は本実施形態に係る決済システム１００の概略構成を示すブロック図である。  
決済システム１００は、ＰＯＳ（point-of-sale）システム１０と複数の信販サーバ２０とを、ゲートウェイサーバ３０及びネットワーク４０を介して通信可能として構成される。  
ＰＯＳシステム１０は、決済の対象となる商取引が行われる店舗などに設置される。ＰＯＳシステム１０は、商取引の会計のための各種の処理を行う。  
信販サーバ２０は、信販サービスの提供者によって運用される。信販サーバ２０は、信販サービスを提供するための各種の処理を行う。なお、本実施形態においては、信販サービスには、クレジット決済サービスに加えて、プリペイド決済、電子マネー決済、あるいはポイント決済などの様々な決済サービスを含み得る。  
ゲートウェイサーバ３０は、ＰＯＳシステム１０から信販サービスの利用のために送信されるデータを、利用する信販サービスに応じた信販サーバ２０へと転送する。  
ネットワーク４０は、信販サーバ２０とゲートウェイサーバ３０との間で授受されるデータを伝送する。ネットワーク４０としては、インターネット又は専用線網などを利用できる。
【００１１】
ＰＯＳシステム１０は、複数のＰＯＳ端末１１、複数の決済端末１２及びネットワーク１３を含む。  
ＰＯＳ端末１１は、商取引の内容を登録する登録処理、商取引の代金を計算する勘定処理、あるいは代金を決済する決済処理などを行う。  
決済端末１２は、代金の決済に信販サービスを利用する場合に、そのために必要となる各種の操作を受け付ける。
【００１２】
図２はＰＯＳ端末１１及び決済端末１２の要部回路構成を示すブロック図である。  
ＰＯＳ端末１１は、ＣＰＵ（central processing unit）１１ａ、ＲＯＭ（read-only memory）１１ｂ、ＲＡＭ（random-access memory）１１ｃ、補助記憶ユニット１１ｄ、時計ユニット１１ｅ、入出力ポート（Ｉ／Ｏ）１１ｆ、通信インタフェース１１ｇ、スキャナ１１ｈ、キーボード１１ｉ、タッチパネル１１ｊ、カードリーダ１１ｋ、プリンタ１１ｍ、通信ユニット１１ｎ及び伝送システム１１ｐを含む。
【００１３】
ＣＰＵ１１ａ、ＲＯＭ１１ｂ、ＲＡＭ１１ｃ及び補助記憶ユニット１１ｄは、伝送システム１１ｐにより接続されてコンピュータを構成する。  
ＣＰＵ１１ａは、上記のコンピュータの中枢部分に相当する。ＣＰＵ１１ａは、ＲＯＭ１１ｂ又は補助記憶ユニット１１ｄに記憶されたオペレーティングシステム、ミドルウェア及びアプリケーションプログラムに基づいて、ＰＯＳ端末１１としての各種の動作を実現するべく各部を制御する。  
ＲＯＭ１１ｂは、上記のコンピュータの主記憶部分に相当する。ＲＯＭ１１ｂは、上記のオペレーティングシステムを記憶する。ＲＯＭ１１ｂは、上記のミドルウェアやアプリケーションプログラムを記憶する場合もある。またＲＯＭ１１ｂは、ＣＰＵ１１ａが各種の処理を行う上で参照するデータを記憶する場合もある。  
ＲＡＭ１１ｃは、上記のコンピュータの主記憶部分に相当する。ＲＡＭ１１ｃは、ＣＰＵ１１ａが各種の処理を行う上で参照するデータを記憶する。さらにＲＡＭ１１ｃは、ＣＰＵ１１ａが各種の処理を行う上で一時的に使用するデータを記憶しておく、いわゆるワークエリアとして利用される。  
補助記憶ユニット１１ｄは、上記のコンピュータの補助記憶部分に相当する。補助記憶ユニット１１ｄは、例えばＨＤＤ（hard disk drive）やＳＳＤ（solid state drive）などであり、ＣＰＵ１１ａが各種の処理を行う上で使用するデータや、ＣＰＵ１１ａでの処理によって生成されたデータを保存する。補助記憶ユニット１１ｄは、上記のミドルウェアやアプリケーションプログラムを記憶する場合もある。
【００１４】
ＲＯＭ１１ｂ又は補助記憶ユニット１１ｄに記憶されるアプリケーションプログラムには、後述する制御処理に関して記述した制御プログラムを含む。ＰＯＳ端末１１の譲渡は一般的に、制御プログラムがＲＯＭ１１ｂ又は補助記憶ユニット１１ｄに記憶された状態にて行われる。しかしＰＯＳ端末１１の譲渡は、制御プログラムがＲＯＭ１１ｂ又は補助記憶ユニット１１ｄに記憶されない状態で行われても良い。そして、制御プログラムは、磁気ディスク、光磁気ディスク、光ディスク、半導体メモリなどのようなリムーバブルな記録媒体に記録して、あるいはネットワークを介して譲渡されても良い。この場合、制御プログラムは、ＰＯＳ端末１１の使用者による操作に応じて補助記憶ユニット１１ｄに書き込まれる。
【００１５】
時計ユニット１１ｅは、定常的に計時動作を行い、日付及び時刻を表した日時情報を生成する。時計ユニット１１ｅには、例えばＴＯＤ（time of day）時計が利用できる。  
入出力ポート１１ｆには、ドロワユニット１４が接続される。入出力ポート１１ｆは、ＣＰＵ１１ａからドロワ開放が指示されたことに応じてドロワユニット１４を駆動するための駆動信号をドロワユニット１４に対して出力する。ドロワユニット１４は、駆動信号を受けてドロワを開放する。  
通信インタフェース１１ｇには、決済端末１２が接続される。通信インタフェース１１ｇは、ＰＯＳ端末１１と決済端末１２との間で授受されるデータを送受信する。通信インタフェース１１ｇとしては、例えばＵＳＢ（universal serial bus）規格に準拠した周知のデバイスが利用できる。  
スキャナ１１ｈは、バーコードを読み取って、そのバーコードが表す情報を出力する。
スキャナ１１ｈには、固定タイプ及びハンディタイプのいずれか、又はその双方を含み得る。  
キーボード１１ｉは、オペレータによる操作の内容を表したコマンドを出力する。  
タッチパネル１１ｊは、表示デバイス及びタッチセンサを含む。表示デバイスは、ＧＵＩ画面などのオペレータに対して提示すべき任意の画面を表示する。表示デバイスとしては、例えばカラーＬＣＤ（liquid crystal display）等の周知のデバイスが利用できる。
タッチセンサは、表示デバイスの表示面に重ねて配置されている。タッチセンサは、表示デバイスの表示面へのオペレータのタッチ位置を検出し、その位置情報をＣＰＵ１１ａへと送る。タッチセンサとしては、周知のデバイスが利用できる。  
カードリーダ１１ｋは、カード型の記憶媒体に記憶されたデータを読み取る。カードリーダ１１ｋとしては、例えば既存の磁気カードリーダ又は接触式のＩＣカードリーダなどが利用できる。  
プリンタ１１ｍは、例えばサーマルプリンタやドットインパクトプリンタなどであり、レシート用紙に対して各種の文字列や画像などを印刷することによりレシート等を発行する。  
通信ユニット１１ｎは、ネットワーク１３を介した通信を行う。通信ユニット１１ｎとしては、例えば既存のＬＡＮ通信デバイスを適用できる。  
伝送システム１１ｐは、ＣＰＵ１１ａ、ＲＯＭ１１ｂ、ＲＡＭ１１ｃ、補助記憶ユニット１１ｄ、時計ユニット１１ｅ、入出力ポート１１ｆ、通信インタフェース１１ｇ、スキャナ１１ｈ、キーボード１１ｉ、タッチパネル１１ｊ、カードリーダ１１ｋ、プリンタ１１ｍ及び通信ユニット１１ｎの間で授受されるデータを伝送する。伝送システム１１ｐは、システムバスなどの各種のバスと、これらのバスと各部とを接続する各種のインタフェース回路とを含む周知のものが利用できる。
【００１６】
決済端末１２は、ＣＰＵ１２ａ、ＲＯＭ１２ｂ、ＲＡＭ１２ｃ、補助記憶ユニット１２ｄ、タッチパネル１２ｅ、非接触通信ユニット１２ｆ、通信インタフェース１２ｇ及び伝送システム１２ｈを含む。
【００１７】
ＣＰＵ１２ａ、ＲＯＭ１２ｂ、ＲＡＭ１２ｃ及び補助記憶ユニット１２ｄは、伝送システム１２ｈにより接続されてコンピュータを構成する。  
ＣＰＵ１２ａは、上記のコンピュータの中枢部分である。ＣＰＵ１２ａは、ＲＯＭ１２ｂに記憶されたオペレーティングシステムや、ＲＯＭ１２ｂ又は補助記憶ユニット１２ｄに記憶されたアプリケーションプログラムに基づいて、決済端末１２としての所期の機能を実現するための制御処理を実行する。上記の所期の機能は、例えば既存のスマートフォンが備える周知の機能に加えて。後述する制御処理により実現される機能を含む。  
ＲＯＭ１２ｂは、上記のコンピュータの主記憶部分である。ＲＯＭ１２ｂは、上記のオペレーティングシステム及びアプリケーションプログラムを記憶する。またＲＯＭ１２ｂは、ＣＰＵ１２ａが各種の処理を行う上で参照するデータを記憶する場合もある。  
ＲＡＭ１２ｃは、上記のコンピュータの主記憶部分である。ＲＡＭ１２ｃは、ＣＰＵ１２ａが各種の処理を行う上で参照するデータを記憶する。さらにＲＡＭ１２ｃは、ＣＰＵ１２ａが各種の処理を行う上で一時的に使用するデータを記憶しておく、いわゆるワークエリアとして利用される。  
補助記憶ユニット１２ｄは、上記のコンピュータの補助記憶部分である。補助記憶ユニット１２ｄは、上記のアプリケーションプログラム、ＣＰＵ１２ａが各種の処理を行う上で使用するデータ、あるいはＣＰＵ１２ａでの処理によって生成されたデータを保存する。
【００１８】
タッチパネル１２ｅは、表示デバイス及びタッチセンサを含む。表示デバイスは、ＧＵＩ画面などの任意の画面を表示する。表示デバイスとしては、例えばカラーＬＣＤ等の周知のデバイスが利用できる。タッチセンサは、表示デバイスの表示面に重ねて配置されている。タッチセンサは、表示デバイスの表示面への操作者によるタッチ位置を検出し、その位置情報をＣＰＵ１２ａへと送る。タッチセンサとしては、例えば既存のデバイスが利用できる。  
非接触通信ユニット１２ｆは、通信範囲内に存在する他の非接触通信ユニットとの間で無線によるデータ通信を行う。当該他の非接触通信ユニットは、非接触式のＩＣカードに搭載されるものである。かくして非接触通信ユニット１２ｆは、非接触式のＩＣカードが近接した場合に、当該ＩＣカードと通信する。非接触通信ユニット１２ｆとしては、既存のミリ波通信デバイスを利用できる。なお本実施形態においては、タッチパネル１２ｅに近接されたＩＣカードと通信可能なように非接触通信ユニット１２ｆを配置する。  
通信インタフェース１２ｇは、ＰＯＳ端末１１の通信インタフェース１１ｇが接続される。通信インタフェース１２ｇは、ＰＯＳ端末１１と決済端末１２との間で授受されるデータを送受信する。通信インタフェース１２ｇとしては、例えばＵＳＢ規格に準拠した周知のデバイスが利用できる。  
伝送システム１２ｈは、ＣＰＵ１２ａ、ＲＯＭ１２ｂ、ＲＡＭ１２ｃ、補助記憶ユニット１２ｄ、非接触通信ユニット１２ｆ、タッチパネル１２ｅ及び通信インタフェース１２ｇの間でデータを伝送する。伝送システム１２ｈは、システムバスなどの各種のバスと、これらのバスと各部とを接続する各種のインタフェース回路とを含む周知のものであって良い。
【００１９】
決済端末１２のハードウェアとしては、既存のスマートフォンやタブレット端末などのような、アプリケーションプログラムを任意にインストール可能なデバイスをそのまま利用できる。そしてこの種のデバイスが備える補助記憶ユニット１２ｄに、そのデバイスの販売者あるいは使用者によって、後述する制御処理について記述したアプリケーションプログラムである制御プログラムがインストールされることにより決済端末１２が実現される。このとき制御プログラムは、磁気ディスク、光磁気ディスク、光ディスク、半導体メモリなどのようなリムーバブルな記録媒体に記録して、あるいはネットワークを介して販売者あるいは使用者へと譲渡される。なお制御プログラムは、ＲＯＭ１２ｂに記憶されていても良い。  
なお補助記憶ユニット１２ｄには、例えば上記の制御プログラムをインストールする作業の中で、認証テーブルが格納される。
【００２０】
図３は認証テーブルの一例を示す図である。  
認証テーブルは、決済端末１２による決済で利用を許容する決済用のカードのそれぞれに関して、認証の要否と認証方法とを記述したデータテーブルである。なお認証方法としては、署名、パスワード又はそれらのいずれかの選択が記述される。
【００２１】
次に以上のように構成された決済システム１の動作について説明する。  
以下に説明する動作の中では、一例として、ＰＯＳ端末１１が店員によって操作され、決済端末１２が買物客により操作される。以下においては、この例を対象として説明する。
【００２２】
ＰＯＳ端末１１においてＣＰＵ１１ａは、周知の登録処理によって商取引の内容の登録を行い、その後に商取引の代金の勘定を行う。具体的には例えばＣＰＵ１１ａは、買上商品の登録を行い、この登録した買上商品の価格の総額として代金を算出する。そしてＣＰＵ１１ａは、決済用のカードを用いての決済の実行を指定する操作がキーボード又はタッチパネル１１ｊで行われたならば、通信インタフェース１１ｇから決済端末１２に対して開始コマンドを送信する。この開始コマンドは、通信インタフェース１２ｇにより受信される。そしてこれに応じてＣＰＵ１２ａは、補助記憶ユニット１２ｄに記憶された制御プログラムに基づく制御処理を開始する。
【００２３】
図４，図５，図６はＣＰＵ１２ａの制御処理のフローチャートである。なお、以下に説明する処理の内容は一例であって、同様な結果を得ることが可能な様々な処理を適宜に利用できる。  
図４中のＡｃｔ１においてＣＰＵ１２ａは、タッチパネル１２ｅにおける表示を待受画面とする。  
図７は待受画面ＳＣ１の一例を示す図である。  
待受画面ＳＣ１は、決済に用いるカードをタッチパネル１２ｅにタッチするように翳すべきであることを買物客に通知する画面である。  
そして待受画面をタッチパネル１２ｅに表示させた状態でＣＰＵ１２ａは、Ａｃｔ２及びＡｃｔ３の待受状態となる。
【００２４】
Ａｃｔ２においてＣＰＵ１２ａは、非接触通信ユニット１２ｆによってカード情報が取得されたか否かを確認する。そしてＣＰＵ１２ａは、カード情報が取得されていないためにＮｏと判定したならば、Ａｃｔ３へと進む。  
Ａｃｔ３においてＣＰＵ１２ａは、ＰＯＳ端末１１からカード情報が通知されたか否かを確認する。そしてＣＰＵ１２ａは、カード情報が通知されていないためにＮｏと判定したならば、Ａｃｔ２へと戻る。  
かくしてＣＰＵ１２ａはＡｃｔ２及びＡｃｔ３の待受状態においては、カード情報が取得されるか、または通知されるのを待ち受ける。
【００２５】
さて、買物客は非接触式のＩＣカードを用いた決済を行う場合には、待受画面にしたがって決済に用いるＩＣカードをタッチパネル１２ｅに近接させる。そうするとＩＣカードが非接触通信ユニット１２ｆの通信範囲内に入り、非接触通信ユニット１２ｆはＩＣカードとの通信を開始する。ＣＰＵ１２ａは、この通信を利用して、ＩＣカードに記憶されているカード情報を取得する。かくして制御プログラムに基づく制御処理をＣＰＵ１２ａが実行することによって、ＣＰＵ１２ａを中枢部分とするコンピュータは取得手段として機能する。
【００２６】
ＣＰＵ１２ａは、上記のようにしてカード情報が非接触通信ユニット１２ｆにて取得されたことに応じてＡｃｔ２にてＹｅｓと判定し、Ａｃｔ４へと進む。  
Ａｃｔ４においてＣＰＵ１２ａは、複数枚のＩＣカードに関するカード情報が取得されているか否かを確認する。そしてＣＰＵ１２ａは、１枚のＩＣカードに関するカード情報のみが取得されているためにＮｏと判定したならば、Ａｃｔ５へと進む。
【００２７】
ところで買物客は、接触式のカードを用いた決済を行おうとする場合には、当該カードを店員に渡す。店員は、買物客から渡されたカードをＰＯＳ端末１１のカードリーダ１１ｋにカードを読み取らせるための操作を行う。そうするとカードリーダ１１ｋがカード情報を読み取る。この場合にＣＰＵ１１ａは、カードリーダ１１ｋにより読み取られたカード情報を、通信インタフェース１１ｇから送信させる。このカード情報は、通信インタフェース１２ｇにより受信され、ＲＡＭ１２ｃ又は補助記憶ユニット１２ｄに保存される。
このようにしてＰＯＳ端末１１から決済端末１２へとカード情報が通知されるとき、決済端末１２にてＣＰＵ１２ａは、Ａｃｔ２及びＡｃｔ３の待受状態にある。そしてＣＰＵ１２ａは、カード情報が通知されたことに応じてＡｃｔ３にてＹｅｓと判定し、Ａｃｔ５へと進む。  
Ａｃｔ５においてＣＰＵ１２ａは、取得又は通知されたカード情報に基づいて、決済に利用されようとしているカードの種別を判定し、当該種別が決済端末２において利用を許容する種別であるか否かを確認する。例えばＣＰＵ１２ａは、カード情報に基づいて判別した種別が認証テーブルに記述されているか否かを確認する。そしてＣＰＵ１２ａは、カードが利用を許容されていない種別のものであるためにＮｏと判定したならば、Ａｃｔ６へと進む。かくして制御プログラムに基づく制御処理をＣＰＵ１２ａが実行することによって、ＣＰＵ１２ａを中枢部分とするコンピュータはＩＣカードの種別を判定する判定手段として機能する。
【００２８】
Ａｃｔ６においてＣＰＵ１２ａは、タッチパネル１２ｅにおける表示を読取エラー画面とする。読取エラー画面は、買物客が利用しようとしているカードが決済端末１２での決済には利用できないことを買物客に知らせる画面である。この読取エラー画面の内容は、任意であって良い。そしてＣＰＵ１２ａは、一定時間の経過や買物客による所定の確認操作などの予め定めたトリガに応じて、Ａｃｔ１へと戻る。
【００２９】
ＣＰＵ１２ａは、決済に利用されようとしているカードが、決済端末２において利用を許容する種別のものであるためにＡｃｔ５にてＹｅｓと判定したならば、Ａｃｔ７へと進む。  
Ａｃｔ７においてＣＰＵ１２ａは、タッチパネル１２ｅにおける表示を確認画面とする。確認画面は、カードの種別を買物客に確認させるための画面である。かくして制御プログラムに基づく制御処理をＣＰＵ１２ａが実行することによって、ＣＰＵ１２ａを中枢部分とするコンピュータは、ＩＣカードの種別を利用者に対して通知するようにタッチパネル１２ｅを制御する制御手段として機能する。そしてタッチパネル１２ｅが通知デバイスの一例であり、ＣＰＵ１２ｅとタッチパネル１２ｅとの協働によって通知手段が実現されている。
【００３０】
図８は確認画面ＳＣ２の一例を示す図である。  
確認画面ＳＣ２は、文字列ＣＳ１と、ボタンＢ１とを含む。文字列ＣＳ１は、カードの種別を表す。ボタンＢ１は、文字列ＣＳ１で表される種別のカードを利用した決済をキャンセルする場合に買物客がタッチすべきものである。
【００３１】
Ａｃｔ８においてＣＰＵ１２ａは、キャンセルが指示されたか否かを確認する。そしてＣＰＵ１２ａは、キャンセルが指示されていないためにＮｏと判定したならば、Ａｃｔ９へと進む。  
Ａｃｔ９においてＣＰＵ１２ａは、確認画面ＳＣ２の表示期間として予め定められた時間が経過したか否かを確認する。つまりＣＰＵ１２ａはＡｃｔ７にて確認画面を表示した際に予め定められた時間の計時を開始し、これがタイムアウトしたか否かをＡｃｔ９にて確認する。そしてＣＰＵ１２ａは、タイムアウトしていないためにＮｏと判定したならば、Ａｃｔ８へと戻る。  
かくしてＣＰＵ１２ａはＡｃｔ８及びＡｃｔ９において、キャンセルが指示されるか、あるいはタイムアウトするのを待ち受ける。
【００３２】
ＣＰＵ１２ａは、ボタンＢ１がタッチされたならばＡｃｔ８にてＮｏと判定し、Ａｃｔ１に戻る。つまりＣＰＵ１２ａはこのときには、今回のカード情報の取得を無効とし、Ａｃｔ１以降の処理をやり直す。
【００３３】
さて、複数枚の非接触式のＩＣカードが非接触通信ユニット１２ｆに近接された場合、非接触通信ユニット１２ｆでは、これら複数のＩＣカードのそれぞれからカード情報が取得される可能性がある。ＣＰＵ１２ａは、このように複数のカード情報が取得されたためにＡｃｔ４にてＹｅｓと判定したならば、Ａｃｔ１０へと進む。  
Ａｃｔ１０においてＣＰＵ１２ａは、タッチパネル１２ｅにおける表示をカード選択画面とする。カード選択画面は、カード情報が取得できている複数のＩＣカードのうちの決済に用いる１枚を買物客に選択させるための画面である。
【００３４】
図９はカード選択画面ＳＣ３の一例を示す図である。  
カード選択画面ＳＣ３は、文字列ＣＳ２及び複数のボタンＢ２を含む。文字列ＣＳ２は、決済に用いるＩＣカードを指定することを買物客に促すメッセージを表す。ボタンＢ２は、それぞれに非接触通信ユニット１２ｆにより取得された複数のカード情報からそれぞれ判定したカード種別が関連付けられる。なおＣＰＵ１２ａは、非接触通信ユニット１２ｆにより取得されたカード情報と同数のボタンＢ２をカード選択画面ＳＣ３に含める。ＣＰＵ１２ａは、ボタンＢ２の数が規定数を超える場合には、ボタンＢ２の表示エリア内をスクロールさせて、全てのボタンＢ２を表すようにしても良い。
【００３５】
Ａｃｔ１１においてＣＰＵ１２ａは、決済に用いるＩＣカードを選択するための操作が行われたか否かを確認する。そしてＣＰＵ１２ａは、当該操作が行われていないためにＮｏと判定したならば、Ａｃｔ１１を繰り返す。つまりＣＰＵ１２ａはＡｃｔ１１においては、当該操作が行われるのを待ち受ける。
【００３６】
買物客は、カード選択画面ＳＣ３に含まれたボタンＢ２の中で、決済に用いるＩＣカードが関連付けられたものにタッチする。ＣＰＵ１２ａは、このタッチがタッチパネル１２ｅで検出されたことに応じてＡｃｔ１１にてＹｅｓと判定し、Ａｃｔ１２へと進む。  
Ａｃｔ１２においてＣＰＵ１２ａは、前述のように非接触通信ユニット１２ｆで取得された複数のカード情報のうちのタッチされたボタンに関連付けられたＩＣカードのものを有効なカード情報として選択する。かくして制御プログラムに基づく制御処理をＣＰＵ１２ａが実行することによって、ＣＰＵ１２ａを中枢部分とするコンピュータは、複数の種別のＩＣカードのうちの１つをそのＩＣカードの利用者の指示に応じて選択する選択手段として機能する。
【００３７】
そしてＣＰＵ１２ａはこの後に、図５中のＡｃｔ１３へと進む。なおＣＰＵ１２ａは、Ａｃｔ８及びＡｃｔ９の待受状態においてタイムアウトしたためにＡｃｔ９にてＹｅｓと判定した場合にも、Ａｃｔ１３へと進む。この場合には、非接触通信ユニット１２ｆで取得された１つのカード情報、あるいはＰＯＳ端末１１から通知された１つのカード情報が有効なカード情報となる。なお、確認画面ＳＣ２を、もう１つのボタンを追加した画面に置き換えても良い。そしてＣＰＵ１２ａは、Ａｃｔ８及びＡｃｔ９の待受状態にて上記の追加したボタンへのタッチがなされたか否かを確認し、当該タッチがなされたことに応じてＡｃｔ１３へと進むようにしても良い。なおこの場合には、Ａｃｔ９を省略しても良い。
【００３８】
Ａｃｔ１３においてＣＰＵ１２ａは、有効としたカード情報に基づく決済処理のために認証が必要であるか否かを確認する。具体的にはＣＰＵ１２ａは、カード情報に基づいて判別した種別に認証テーブルで関連付けられた認証要否の記述を確認する。ＣＰＵ１２ａは、認証が必要であるためにＹｅｓと判定したならば、Ａｃｔ１４へと進む。  
Ａｃｔ１４においてＣＰＵ１２ａは、認証方法がパスワードによる認証であるか否かを確認する。具体的にはＣＰＵ１２ａは、カード情報に基づいて判別した種別に認証テーブルで関連付けられた認証方法の記述が「パスワード」であるか否かを確認する。そしてＣＰＵ１２ａは、認証方法がパスワードによる認証ではないためにＮｏと判定したならば、Ａｃｔ１５へと進む。  
Ａｃｔ１５においてＣＰＵ１２ａは、認証方法が署名による認証であるか否かを確認する。具体的にはＣＰＵ１２ａは、カード情報に基づいて判別した種別に認証テーブルで関連付けられた認証方法の記述が「署名」であるか否かを確認する。そしてＣＰＵ１２ａは、認証方法が署名による認証ではないためにＮｏと判定したならば、Ａｃｔ１６へと進む。  
Ａｃｔ１６においてＣＰＵ１２ａは、タッチパネル１２ｅにおける表示を方法選択画面とする。方法選択画面は、認証方法を買物客に選択させるための画面である。
【００３９】
図１０は方法選択画面ＳＣ４の一例を示す図である。  
方法選択画面ＳＣ４は、文字列ＣＳ３及び複数のボタンＢ３を含む。文字列ＣＳ３は、認証方法を指定することを買物客に促すメッセージを表す。ボタンＢ３は、それぞれに認証方法が関連付けられる。本実施形態において決済端末１２は、パスワードによる認証又は署名による認証の２つの認証方法に対応することとしている。このため方法選択画面ＳＣ４は、それら２つの認証方法がそれぞれ関連付けられた２つのボタンＢ３を含んでいる。決済端末１２は、例えば指紋認証などの他の様々な認証方法に対応しても良く、その場合には、パスワードによる認証及び署名による認証の少なくとも一方に対応しなくても良い。従って、方法決済画面ＳＣ４は、ボタンＢ３の数やボタンＢ３に対する認証方法の関連付けが異なる別の画面に置き換えられることもある。
【００４０】
Ａｃｔ１７においてＣＰＵ１２ａは、決済方法を選択するための操作が行われたか否かを確認する。そしてＣＰＵ１２ａは、当該操作が行われていないためにＮｏと判定したならば、Ａｃｔ１７を繰り返す。つまりＣＰＵ１２ａはＡｃｔ１７においては、当該操作が行われるのを待ち受ける。
【００４１】
買物客は、方法選択画面ＳＣ４に含まれたボタンＢ３の中で、所望の決済方法が関連付けられたものにタッチする。ＣＰＵ１２ａは、このタッチがタッチパネル１２ｅで検出されたことに応じてＡｃｔ１７にてＹｅｓと判定し、Ａｃｔ１８へと進む。  
Ａｃｔ１８においてＣＰＵ１２ａは、パスワードによる認証が指定されたか否かを確認する。そしてＣＰＵ１２ａは、パスワードによる認証が関連付けられたボタンＢ３へのタッチがタッチパネル１２ｅで検出されているためにＹｅｓと判定したならば、Ａｃｔ１９へと進む。なお、カード情報に基づいて判別した種別に認証テーブルで関連付けられた認証方法の記述が「パスワード」であるためにＡｃｔ１４にてＹｅｓと判定したならば、Ａｃｔ１５〜Ａｃｔ１８をパスしてＡｃｔ１９へと進む。  
Ａｃｔ１９においてＣＰＵ１２ａは、タッチパネル１２ｅにおける表示を入力画面とする。入力画面は、パスワードを買物客に入力させるための画面である。
【００４２】
図１１は入力画面ＳＣ５の一例を示す図である。  
入力画面ＳＣ５は、文字列ＣＳ４、表示エリアＤＡ１、テンキーＴＫ１、ボタンＢ４及びボタンＢ５を含む。文字列ＣＳ４は、パスワードを入力することを買物客に促すメッセージを表す。表示エリアＤＡ１は、パスワードの入力状況を表示する。つまり表示エリアＤＡ１は、入力済みのパスワード桁数と同数の「＊」を表す。テンキーＴＫ１は、パスワードを構成する数値を入力するためのユーザインタフェースである。ボタンＢ４は、パスワード入力をキャンセルする場合に買物客がタッチするものである。ボタンＢ５は、入力したパスワードを認証に適用するものとして確定する場合に買物客がタッチするものである。なおＣＰＵ１２ａは、ボタンＢ４がタッチされた場合には、その時点までに入力されたパスワードを破棄し、パスワード入力を最初からやり直す。またＣＰＵ１２ａは、ボタンＢ５がタッチされたことに応じて、Ａｃｔ２０へと進む。ただしＣＰＵ１２ａは、入力されたパスワードが予め定められた最低桁数に満たない状態でボタンＢ５がタッチされた場合には、パスワード入力を最初からやり直す。
【００４３】
Ａｃｔ２０においてＣＰＵ１２ａは、買物客によるテンキーＴＫ１のタッチ操作によって買物客が入力したパスワードを、通信インタフェース１２ｇからＰＯＳ端末１１へと送信する。
【００４４】
ところでＣＰＵ１２ａは、カード情報に基づいて判別した種別に認証テーブルで関連付けられた認証方法の記述が「署名」であるためにＡｃｔ１５にてＹｅｓと判定したならば、Ａｃｔ２１へと進む。あるいはＣＰＵ１２ａは、Ａｃｔ１７の待受状態にて署名による認証が関連付けられたボタンＢ３へのタッチがタッチパネル１２ｅで検出されているためにＡｃｔ１８にてＮｏと判定したならば、Ａｃｔ２１へと進む。  
Ａｃｔ２１においてＣＰＵ１２ａは、タッチパネル１２ｅにおける表示を署名画面とする。署名画面は、署名を買物客に入力させるための画面である。
【００４５】
図１２は署名画面ＳＣ６の一例を示す図である。  
署名画面ＳＣ６は、文字列ＣＳ５、署名エリアＳＡ１、ボタンＢ６及びボタンＢ７を含む。文字列ＣＳ５は、署名を入力することを買物客に促すメッセージを表す。署名エリアＳＡ１は、買物客が署名を入力するためのタッチ操作を行うとともに、入力された署名を表示するためのエリアである。ボタンＢ６は、署名の入力をキャンセルする場合に買物客がタッチするものである。ボタンＢ７は、入力した署名を認証に適用するものとして確定する場合に買物客がタッチするものである。
【００４６】
Ａｃｔ２２においてＣＰＵ１２ａは、タッチペン又は指などによる署名領域ＳＡ１内の指定位置の軌跡として入力した署名を、ボタンＢ７がタッチされたことに応じて、通信インタフェース１２ｇからＰＯＳ端末１１へと送信する。なおＣＰＵ１２ａは、ボタンＢ６がタッチされた場合には、その時点までに入力された署名を破棄し、署名の入力を最初からやり直す。
【００４７】
ＣＰＵ１２ａは、Ａｃｔ２０又はＡｃｔ２２でパスワード又は署名を送信し終えた場合は、図６に示すＡｃｔ２３へと進む。なおＣＰＵ１２ａは、有効としたカード情報に基づく決済処理のために認証が不要であるためにＡｃｔ１３でＮｏと判定したならば、Ａｃｔ１４〜Ａｃｔ２２をパスして図６に示すＡｃｔ２３へと進む。  
Ａｃｔ２３においてＣＰＵ１２ａは、タッチパネル１２ｅにおける表示を処理中画面とする。処理中画面は、決済のための処理中であることを買物客に認識させるための画面である。  
Ａｃｔ２４においてＣＰＵ１２ａは、カード情報を通信インタフェース１２ｇからＰＯＳ端末１１へと送信する。
【００４８】
ＰＯＳ端末１１においてＣＰＵ１１ａは、パスワード及びカード情報が通信インタフェース１１ｇで受信されたなら、このパスワード及びカード情報を含んだ決済要求情報をゲートウェイサーバ３０に宛てて通信ユニット１１ｎからネットワーク１３へと送信する。
またＣＰＵ１１ａは、署名及びカード情報が通信インタフェース１１ｇで受信されたなら、署名をタッチパネル１１ｊに表示させ、かつカード情報を含んだ決済要求情報をゲートウェイサーバ３０に宛てて通信ユニット１１ｎからネットワーク１３へと送信する。ＣＰＵ１１ａは、決済要求情報に署名の情報を含めても良い。このようにすれば、署名を電子データとして管理することが可能となり、署名された紙面の送信及び保存などに関わる事務処理を削減できる。またＣＰＵ１１ａは、カード情報が通信インタフェース１１ｇで受信されたなら、カード情報を含んだ決済要求情報をゲートウェイサーバ３０に宛てて通信ユニット１１ｎからネットワーク１３へと送信する。  
ＰＯＳ端末１１を操作する店員は、署名がタッチパネル１１ｊにより表示された場合、当該署名とＩＣカードに記載された署名との比較により認証を行う。  
なお、このような店員による認証が不要である場合には、上記のような署名の表示は省略できる。
【００４９】
ゲートウェイサーバ３０は、ネットワーク１３を介して決済要求情報を受信すると、当該決済要求情報に含まれるカード番号などから、複数の信販サーバ２０の中から決済要求情報の転送先を選択する。そしてゲートウェイサーバ３０は、その選択した信販サーバ２０へとネットワーク４０を介して決済要求情報を転送する。
【００５０】
信販サーバ２０は、決済要求情報に基づいて決済のための周知の処理を行う。そして信販サーバ２０は、決済の結果を表した結果情報を、ネットワーク４０、ゲートウェイサーバ３０及びネットワーク１３を介してＰＯＳ端末１１へと送信する。なお信販サーバ２０は、決済に伴うポイントサービスのための処理を行う設定となっているならば、そのポイントサービスに関わるポイント情報を結果情報に含める。
【００５１】
ＰＯＳ端末１１のＣＰＵ１１ａは、結果情報を受けたならば、レシートを発行するなどの締め処理を行う。そしてＣＰＵ１１ａはこれを終えたならば、完了通知情報を通信インタフェース１１ｇから送信する。ＣＰＵ１１ａは、結果情報でエラーの通知がなされた場合、あるいは締め処理でエラーが生じた場合には、そのことを表したエラー情報を完了通知情報に含める。またＣＰＵ１１ａは、結果情報にポイント情報が含まれる場合、あるいは締め処理でポイントサービスに関わる処理を行ってポイント情報を生成した場合には、そのポイント情報を完了通知情報に含める。
【００５２】
さて、決済端末１２においてＣＰＵ１２ａは、図６中のＡｃｔ２４にてカード情報を送信したのちには、Ａｃｔ２５へと進む。  
Ａｃｔ２５においてＣＰＵ１２ａは、完了通知がなされたか否かを確認する。そしてＣＰＵ１２ａは、完了通知がなされていないためにＮｏと判定したならば、Ａｃｔ２５を繰り返す。かくしてＣＰＵ１２ａはＡｃｔ２５においては、完了通知がなされるのを待ち受ける。そしてＣＰＵ１２ａは、前述した完了通知情報が通信インタフェース１２ｇにより受信されたならばＹｅｓと判定し、Ａｃｔ２６へと進む。  
Ａｃｔ２６においてＣＰＵ１２ａは、完了通知情報にポイント情報が含まれているか否かを確認する。そしてＣＰＵ１２ａは、ポイント情報が含まれていないためにＮｏと判定したならば、Ａｃｔ２７へと進む。  
Ａｃｔ２７においてＣＰＵ１２ａは、完了通知情報にエラー情報が含まれているか否かを確認する。そしてＣＰＵ１２ａは、エラー情報が含まれていないためにＮｏと判定したならば、Ａｃｔ２８へと進む。  
Ａｃｔ２８においてＣＰＵ１２ａは、タッチパネル１２ｅにおける表示を完了画面とする。完了画面は、カードを用いた決済が完了したことを買物客に通知するための画面である。
【００５３】
一方ＣＰＵ１２ａは、完了通知情報にエラー情報が含まれるためにＡｃｔ２７にてＹｅｓと判定したならば、Ａｃｔ２９へと進む。  
Ａｃｔ２９においてＣＰＵ１２ａは、タッチパネル１２ｅにおける表示を決済エラー画面とする。決済エラー画面は、決済に何らかのエラーが生じたことを買物客に通知するための画面である。
【００５４】
ＣＰＵ１２ａは、完了通知情報にポイント情報が含まれているためにＡｃｔ２６にてＹｅｓと判定したならば、Ａｃｔ３０へと進む。  
Ａｃｔ３０においてＣＰＵ１２ａは、タッチパネル１２ｅにおける表示をポイント画面とする。ポイント画面は、ポイントサービスに関する情報を買物客に通知するための画面である。
【００５５】
図１３はポイント画面ＳＣ７の一例を示す図である。  
ポイント画面ＳＣ７は、文字列ＣＳ６，ＣＳ７を含む。文字列ＣＳ６は、当該画面がポイントを表示するものであることを表す。文字列ＣＳ７は、今回の決済によりポイント変動を反映した残ポイント数を表す。
【００５６】
ＣＰＵ１２ａは、Ａｃｔ２９、Ａｃｔ２８及びＡｃｔ２９のいずれかでの画面表示を行っているとき、一定時間の経過や買物客による所定の確認操作などの予め定めたトリガに応じて、図４，図５，図６に示す制御処理を終了する。  
このように、制御プログラムに基づく制御処理をＣＰＵ１２ａが実行することによって、ＣＰＵ１２ａを中枢部分とするカード情報を用いた決済のための処理を行う決済手段として機能する。
【００５７】
以上のように決済端末１２によれば、買物客は、確認画面ＳＣ２によって、カード情報がどのＩＣカードから取得されたのかを知ることができる。つまり買物客は、利用しようとしているＩＣカードのカード情報が決済端末１２により読み取られたか否かを確認する異ができる。
【００５８】
さらに決済端末１２は、確認画面ＳＣ２中に含まれたボタンＢ１にタッチされたならば、カード情報の取得を待ち受ける状態に戻る。従って買物客は、確認画面ＳＣ２により確認したＩＣカードが利用しようとしているものとは異なる場合は、ボタンＢ１にタッチするだけでＩＣカードの読み取りをやり直すことができる。
【００５９】
さらに決済端末１２は、複数のＩＣカードのカード情報を取得した場合には、カード選択画面ＳＣ３を表示して、利用するＩＣカードを買物客に選択させる。これにより買物客は、利用しようとしているＩＣカードのカード情報が読み取られているならば、そのＩＣカードをカード選択画面ＳＣ３で選択することにより、ＩＣカードの読み取りをやり直す必要がない。
【００６０】
さらに決済端末１２は、タッチパネル１２ｅに近接されたＩＣカードと通信可能なように非接触通信ユニット１２ｆを配置し、待受画面ＳＣ１により決済に用いるＩＣカードをタッチパネル１２ｅにタッチするように翳すように買物客に促す。これにより買物客は、「タッチパネル１２ｅでの案内にしたがって、タッチパネル１２ｅにＩＣカードをタッチする。」という直感的な作業によりＩＣカードを決済端末１２に読み取らせることが可能となる。
【００６１】
さらに決済端末１２によれば、ＩＣカードの読み取り、利用するＩＣカードの確定、ならびにパスワード又は署名の入力などのＩＣカードを利用した決済のための買物客による一連の操作の全てを、タッチパネル１２ｅのタッチ面において行うことができる。これにより、高い操作性が得られる。
【００６２】
この実施形態は、次のような種々の変形実施が可能である。  
非接触式のＩＣカードから読み取ったカード情報を用いた何らかの処理を行う装置であれば、決済端末１２以外の装置においても上記実施形態と同様な技術思想の下に実施が可能である。また、ＩＣカードから読み取ったカード情報を他の装置へと出力するカード読取装置として実施することも可能である。
【００６３】
カードの種別を買物客に確認させるための通知動作としては、前記実施形態における表示に代えて、あるいは加えて、音声メッセージの出力などの別の動作を行っても良い。
【００６４】
決済端末１２におけるタッチパネル１２ｅでの表示画面を、ＰＯＳ端末１１においてもタッチパネル１１ｊで同時に表示しても良い。このようにすれば、決済端末１２における買物客の操作状況を、ＰＯＳ端末１１にて店員がリアルタイムで確認することができる。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１…決済システム、２…決済端末、１０…ＰＯＳシステム、１１…ＰＯＳ端末、１２…決済端末、１２ａ…ＣＰＵ、１２ｂ…ＲＯＭ、１２ｃ…ＲＡＭ、１２ｄ…補助記憶ユニット、１２ｅ…タッチパネル、１２ｆ…非接触通信ユニット、１２ｇ…通信インタフェース、１２ｈ…伝送システム、１３…ネットワーク、１４…ドロワユニット、２０…信販サーバ、３０…ゲートウェイサーバ、４０…ネットワーク、１００…決済システム。
【図１】
2020173833.tif 000003
【図２】
2020173833.tif 000004
【図３】
2020173833.tif 000005
【図４】
2020173833.tif 000006
【図５】
2020173833.tif 000007
【図６】
2020173833.tif 000008
【図７】
2020173833.tif 000009
【図８】
2020173833.tif 000010
【図９】
2020173833.tif 000011
【図１０】
2020173833.tif 000012
【図１１】
2020173833.tif 000013
【図１２】
2020173833.tif 000014
【図１３】
2020173833.tif 000015
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
認証方式の異なる複数種類の非接触型のＩＣカードと通信する非接触通信ユニットと、
前記非接触通信ユニットが前記ＩＣカードと通信可能となった場合に、前記ＩＣカードに記憶されたカード情報を、前記非接触通信ユニットを介して取得する取得手段と、
前記取得手段が取得した前記カード情報に基づいて前記ＩＣカードの種別を判定する判定手段と、
前記判定手段が判定した種別を、前記ＩＣカードの利用者に対して通知する通知手段と、
前記認証方式の異なる複数種類の非接触型のＩＣカードのそれぞれに関して認証の要否と認証方法とを含む認証情報を記述した認証テーブルに基づいて、前記判定手段が判定したＩＣカード種別と対応する前記認証情報を確認する認証情報確認手段と、
を具備したカード読取装置。
【請求項２】
タッチパネルをさらに具備し、
前記非接触通信ユニットは、前記タッチパネルに近接されたＩＣカードと通信可能なように配置される、
請求項１に記載のカード読取装置。
【請求項３】
前記非接触通信ユニットは、ＰＯＳ端末にて算出される代金の決済に用いるために近接される前記ＩＣカードを読み取り、
前記通知手段は、前記判定手段が判定した種別を、前記ＩＣカードの利用者及び前記ＰＯＳ端末に対して通知する、
請求項１又は請求項２に記載のカード読取装置。
【請求項４】
認証方式の異なる複数種類の非接触型のＩＣカードと通信する非接触通信ユニットと、前記ＩＣカードの利用者に対する通知のための通知動作を行う通知デバイスとを具備したカード読取装置を制御するコンピュータを、
前記非接触通信ユニットが前記ＩＣカードと通信可能となった場合に、前記ＩＣカードに記憶されたカード情報を、前記非接触通信ユニットを介して取得する取得手段と、
前記取得手段が取得した前記カード情報に基づいて前記ＩＣカードの種別を判定する判定手段と、
前記判定手段が判定した種別を、前記ＩＣカードの利用者に対して通知するための通知動作を行うように前記通知デバイスを制御する制御手段と、
前記認証方式の異なる複数種類の非接触型のＩＣカードのそれぞれに関して認証の要否と認証方法とを含む認証情報を記述した認証テーブルに基づいて、前記判定手段が判定したＩＣカード種別と対応する前記認証情報を確認する認証情報確認手段と、
して機能させるための制御プログラム。
【請求項５】
認証方式の異なる複数種類の非接触型のＩＣカードと通信する非接触通信ユニットと、
前記非接触通信ユニットが前記ＩＣカードと通信可能となった場合に、前記ＩＣカードに記憶されたカード情報を、前記非接触通信ユニットを介して取得する取得手段と、
前記取得手段が取得した前記カード情報に基づいて前記ＩＣカードの種別を判定する判定手段と、
前記判定手段が判定した種別を、前記ＩＣカードの利用者に対して通知する通知手段と、
前記認証方式の異なる複数種類の非接触型のＩＣカードのそれぞれに関して認証の要否と認証方法とを含む認証情報を記述した認証テーブルに基づいて、前記判定手段が判定したＩＣカード種別と対応する前記認証情報を確認する認証情報確認手段と、
前記認証情報確認手段により前記認証情報の確認が為された後に、前記取得手段が取得した前記カード情報を用いた決済のための処理を行う決済手段と、
を具備した決済端末。
【請求項６】
タッチパネルをさらに具備し、
前記非接触通信ユニットは、前記タッチパネルに近接されたＩＣカードと通信可能なように配置される、
請求項５に記載の決済端末。
【請求項７】
前記非接触通信ユニットは、ＰＯＳ端末にて算出される代金の決済に用いるために近接される前記ＩＣカードを読み取り、
前記通知手段は、前記判定手段が判定した種別を、前記ＩＣカードの利用者及び前記ＰＯＳ端末に対して通知する、
請求項５又は請求項６に記載の決済端末。
【手続補正２】
【補正対象書類名】明細書
【補正対象項目名】０００８
【補正方法】変更
【補正の内容】
【０００８】
実施形態の読取装置は、非接触通信ユニット、取得手段、判定手段、通知手段及び認証情報確認手段を備える。非接触通信ユニットは、認証方式の異なる複数種類の非接触型のＩＣカードと通信する。取得手段は、非接触通信ユニットがＩＣカードと通信可能となった場合に、ＩＣカードに記憶されたカード情報を、非接触通信ユニットを介して取得する。判定手段は、取得手段が取得したカード情報に基づいてＩＣカードの種別を判定する。通知手段は、判定手段が判定した種別を、ＩＣカードの利用者に対して通知する。認証情報確認手段は、認証方式の異なる複数種類の非接触型のＩＣカードのそれぞれに関して認証の要否と認証方法とを含む認証情報を記述した認証テーブルに基づいて、判定手段が判定したＩＣカード種別と対応する認証情報を確認する。
【手続補正３】
【補正対象書類名】明細書
【補正対象項目名】００２１
【補正方法】変更
【補正の内容】
【００２１】
次に以上のように構成された決済システム１００の動作について説明する。
以下に説明する動作の中では、一例として、ＰＯＳ端末１１が店員によって操作され、決済端末１２が買物客により操作される。以下においては、この例を対象として説明する。
【手続補正４】
【補正対象書類名】明細書
【補正対象項目名】００２７
【補正方法】変更
【補正の内容】
【００２７】
ところで買物客は、接触式のカードを用いた決済を行おうとする場合には、当該カードを店員に渡す。店員は、買物客から渡されたカードをＰＯＳ端末１１のカードリーダ１１ｋにカードを読み取らせるための操作を行う。そうするとカードリーダ１１ｋがカード情報を読み取る。この場合にＣＰＵ１１ａは、カードリーダ１１ｋにより読み取られたカード情報を、通信インタフェース１１ｇから送信させる。このカード情報は、通信インタフェース１２ｇにより受信され、ＲＡＭ１２ｃ又は補助記憶ユニット１２ｄに保存される。
このようにしてＰＯＳ端末１１から決済端末１２へとカード情報が通知されるとき、決済端末１２にてＣＰＵ１２ａは、Ａｃｔ２及びＡｃｔ３の待受状態にある。そしてＣＰＵ１２ａは、カード情報が通知されたことに応じてＡｃｔ３にてＹｅｓと判定し、Ａｃｔ５へと進む。
Ａｃｔ５においてＣＰＵ１２ａは、取得又は通知されたカード情報に基づいて、決済に利用されようとしているカードの種別を判定し、当該種別が決済端末１２において利用を許容する種別であるか否かを確認する。例えばＣＰＵ１２ａは、カード情報に基づいて判別した種別が認証テーブルに記述されているか否かを確認する。そしてＣＰＵ１２ａは、カードが利用を許容されていない種別のものであるためにＮｏと判定したならば、Ａｃｔ６へと進む。かくして制御プログラムに基づく制御処理をＣＰＵ１２ａが実行することによって、ＣＰＵ１２ａを中枢部分とするコンピュータはＩＣカードの種別を判定する判定手段として機能する。
【手続補正５】
【補正対象書類名】明細書
【補正対象項目名】００２９
【補正方法】変更
【補正の内容】
【００２９】
ＣＰＵ１２ａは、決済に利用されようとしているカードが、決済端末２において利用を許容する種別のものであるためにＡｃｔ５にてＹｅｓと判定したならば、Ａｃｔ７へと進む。
Ａｃｔ７においてＣＰＵ１２ａは、タッチパネル１２ｅにおける表示を確認画面とする。確認画面は、カードの種別を買物客に確認させるための画面である。かくして制御プログラムに基づく制御処理をＣＰＵ１２ａが実行することによって、ＣＰＵ１２ａを中枢部分とするコンピュータは、ＩＣカードの種別を利用者に対して通知するようにタッチパネル１２ｅを制御する制御手段として機能する。そしてタッチパネル１２ｅが通知デバイスの一例であり、ＣＰＵ１２ａとタッチパネル１２ｅとの協働によって通知手段が実現されている。
【手続補正６】
【補正対象書類名】明細書
【補正対象項目名】００３９
【補正方法】変更
【補正の内容】
【００３９】
図１０は方法選択画面ＳＣ４の一例を示す図である。  
方法選択画面ＳＣ４は、文字列ＣＳ３及び複数のボタンＢ３を含む。文字列ＣＳ３は、認証方法を指定することを買物客に促すメッセージを表す。ボタンＢ３は、それぞれに認証方法が関連付けられる。本実施形態において決済端末１２は、パスワードによる認証又は署名による認証の２つの認証方法に対応することとしている。このため方法選択画面ＳＣ４は、それら２つの認証方法がそれぞれ関連付けられた２つのボタンＢ３を含んでいる。決済端末１２は、例えば指紋認証などの他の様々な認証方法に対応しても良く、その場合には、パスワードによる認証及び署名による認証の少なくとも一方に対応しなくても良い。従って、方法選択画面ＳＣ４は、ボタンＢ３の数やボタンＢ３に対する認証方法の関連付けが異なる別の画面に置き換えられることもある。
【手続補正７】
【補正対象書類名】明細書
【補正対象項目名】００４６
【補正方法】変更
【補正の内容】
【００４６】
Ａｃｔ２２においてＣＰＵ１２ａは、タッチペン又は指などによる署名エリアＳＡ１内の指定位置の軌跡として入力した署名を、ボタンＢ７がタッチされたことに応じて、通信インタフェース１２ｇからＰＯＳ端末１１へと送信する。なおＣＰＵ１２ａは、ボタンＢ６がタッチされた場合には、その時点までに入力された署名を破棄し、署名の入力を最初からやり直す。
【手続補正８】
【補正対象書類名】明細書
【補正対象項目名】００６５
【補正方法】変更
【補正の内容】
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の当初の特許請求の範囲に記載された発明を付記する。
［付記１］  非接触型のＩＣカードと通信する非接触通信ユニットと、
前記非接触通信ユニットが前記ＩＣカードと通信可能となった場合に、前記ＩＣカードに記憶されたカード情報を、前記非接触通信ユニットを介して取得する取得手段と、
前記取得手段が取得した前記カード情報に基づいて前記ＩＣカードの種別を判定する判定手段と、
前記判定手段が判定した種別を、前記ＩＣカードの利用者に対して通知する通知手段と、
を具備したことを特徴とするカード読取装置。
［付記２］  非接触型のＩＣカードと通信する非接触通信ユニットと、
前記非接触通信ユニットが前記ＩＣカードと通信可能となった場合に、前記ＩＣカードに記憶されたカード情報を、前記非接触通信ユニットを介して取得する取得手段と、
前記取得手段が取得した前記カード情報に基づいて前記ＩＣカードの種別を判定する判定手段と、
前記判定手段が判定した種別を、前記ＩＣカードの利用者に対して通知する通知手段と、
前記取得手段が取得した前記カード情報を用いた決済のための処理を行う決済手段と、を具備したことを特徴とする決済端末。
［付記３］  前記決済手段は、前記通知手段による通知に対する確認操作が行われたことに応じて前記処理を開始することを特徴とする付記２に記載の決済端末。
［付記４］  前記取得手段は、前記非接触通信ユニットが複数の前記ＩＣカードと通信可能となった場合に、これら複数の前記ＩＣカードに記憶されたカード情報を、前記非接触通信ユニットを介してそれぞれ取得し、
前記判定手段は、前記取得手段が取得した複数の前記カード情報に基づいて複数の前記ＩＣカードの種別をそれぞれ判定し、
前記通知手段は、前記判定手段が判定した複数の種別を通知し、
前記決済端末は、前記判定手段が判定した複数の種別のうちの１つを前記利用者の指示に応じて選択する選択手段を更に備え、
前記決済手段は、前記選択手段により選択された種別を判定する基となった前記カード情報を用いて前記処理を行う、
ことを特徴とする付記２に記載の決済端末。
［付記５］  非接触型のＩＣカードと通信する非接触通信ユニットと、前記ＩＣカードの利用者に対する通知のための通知動作を行う通知デバイスとを具備したカード読み取り装置を制御するコンピュータを、
前記非接触通信ユニットが前記ＩＣカードと通信可能となった場合に、前記ＩＣカードに記憶されたカード情報を、前記非接触通信ユニットを介して取得する取得手段と、
前記取得手段が取得した前記カード情報に基づいて前記ＩＣカードの種別を判定する判定手段と、
前記判定手段が判定した種別を、前記ＩＣカードの利用者に対して通知するための通知動作を行うように前記通知デバイスを制御する制御手段と、
して機能させるための制御プログラム。
【手続補正９】
【補正対象書類名】明細書
【補正対象項目名】００６６
【補正方法】変更
【補正の内容】
【００６６】
１０…ＰＯＳシステム、１１…ＰＯＳ端末、１２…決済端末、１２ａ…ＣＰＵ、１２ｂ…ＲＯＭ、１２ｃ…ＲＡＭ、１２ｄ…補助記憶ユニット、１２ｅ…タッチパネル、１２ｆ…非接触通信ユニット、１２ｇ…通信インタフェース、１２ｈ…伝送システム、１３…ネットワーク、１４…ドロワユニット、２０…信販サーバ、３０…ゲートウェイサーバ、４０…ネットワーク、１００…決済システム。